(57)【要約】      （修正有）【課題】二つの音源をデジタルミキシングしてオーディオ信号を出力すると同時にエンコーディングして記憶することができるデジタルオーディオ再生装置及び方法を提供する。【解決手段】オーディオ信号入力装置を介して入力されたアナログオーディオ信号をデジタルオーディオ信号に変換するアナログ／デジタル変換部（ＡＤＣ）２１０と、圧縮されたデジタルオーディオ信号が記憶されたメモリ２８０と、ＡＤＣ２１０から出力されたデジタルオーディオ信号をメモリ２８０からのデコーディングされたデジタル音楽信号とミキシングするミキサ２２０と、オーディオ出力部２４０へ伝達するデジタル／アナログ信号変換部２３０と、メモリ２８０から圧縮された音楽データを読み出してデコーディングした後にミキサ２２０へ提供し、ミキシングされたデジタル信号をエンコーディングしてメモリ２８０に記憶するための制御信号を生成する中央処理部２５０とを含んでなる。【選択図】図１
2006331624.tif 000002
【特許請求の範囲】
【請求項１】
オーディオ信号入力装置を介して入力されたアナログオーディオ信号をデジタルオーディオ信号に変換するアナログ／デジタル変換部と、
圧縮されたデジタルオーディオ信号が記憶されたメモリと、
前記アナログ／デジタル変換部から出力されたデジタルオーディオ信号を前記メモリからデコーディングされたデジタル音楽信号とデジタルミキシングするミキサと、
前記ミキサから出力されたデジタル信号をアナログ信号に変換してオーディオ出力部へ伝達するデジタル／アナログ信号変換部と、
前記メモリから圧縮された音楽データを読み出してデコーディングした後に前記ミキサへ伝達し、前記ミキサによってミキシングされたデジタル信号をエンコーディングして前記メモリに記憶するための制御信号を生成する中央処理部と、
を具備することを特徴とするデジタルオーディオ再生装置。
【請求項２】
請求項１記載のデジタルオーディオ再生装置において、前記中央処理部は、一つのコアでデコーディング機能とエンコーディング機能とを同時に処理してデジタルミキシングを遂行することを特徴とするデジタルオーディオ再生装置。
【請求項３】
請求項１記載のデジタルオーディオ再生装置において、前記中央処理部は、デュアルコアを有することを特徴とするデジタルオーディオ再生装置。
【請求項４】
請求項３記載のデジタルオーディオ再生装置において、前記中央処理部は、
前記メモリから読み出された圧縮されたデジタル信号をデコーディングする第１のコアと、
前記デジタルミキシングされたデータをエンコーディングする第２のコアと、
を具備することを特徴とするデジタルオーディオ再生装置。
【請求項５】
請求項１記載のデジタルオーディオ再生装置において、前記オーディオ信号入力装置は、マイクロホンを含むことを特徴とするデジタルオーディオ再生装置。
【請求項６】
請求項１記載のデジタルオーディオ再生装置において、前記メモリは、ＭＰ３、ＷＭＡ、ＯＧＧ、又はＡＳＦから選択された少なくとも一つの圧縮されたオーディオ信号を記憶することを特徴とするデジタルオーディオ再生装置。
【請求項７】
請求項１記載のデジタルオーディオ再生装置において、外部装置と前記中央処理部との信号交換のためのインターフェース装置をさらに具備することを特徴とするデジタルオーディオ再生装置。
【請求項８】
請求項７記載のデジタルオーディオ再生装置において、前記インターフェース装置は、ＵＳＢを含むことを特徴とするデジタルオーディオ再生装置。
【請求項９】
請求項８記載のデジタルオーディオ再生装置において、前記ＵＳＢを用いて個人用コンピュータ（ＰＣ）とデータを交換することを特徴とするデジタルオーディオ再生装置。
【請求項１０】
請求項１記載のデジタルオーディオ再生装置において、前記中央処理部の制御信号に従って再生装置の動作状態をユーザーが認識できるように表示するディスプレー装置をさらに具備することを特徴とするデジタルオーディオ再生装置。
【請求項１１】
請求項１０記載のデジタルオーディオ再生装置において、前記ディスプレー装置は、液晶ディスプレー装置（ＬＣＤ）を含むことを特徴とするデジタルオーディオ再生装置。
【請求項１２】
請求項１１記載のデジタルオーディオ再生装置において、前記液晶ディスプレー装置は、タッチパネルを含むことを特徴とするデジタルオーディオ再生装置。
【請求項１３】
請求項１ないし請求項１２のうちのいずれか１項に記載のデジタルオーディオ再生装置において、前記デジタルオーディオ再生装置は、携帯可能であることを特徴とするデジタルオーディオ再生装置。
【請求項１４】
入力されるオーディオ信号のエンコーディングと貯蔵されている音源のデコーディングとを同時に遂行し、該遂行の結果に従うデジタルオーディオ信号をミキシングして出力するとともにメモリに記憶することを特徴とするデジタルオーディオ再生方法。
【請求項１５】
外部からアナログオーディオ信号を受信してデジタルオーディオ信号に変換するアナログ／デジタル変換過程と、
メモリから圧縮された音源データを読み出して復元するデコーディング過程と、
前記アナログ／デジタル変換過程を介した信号を前記デコーディング過程によって復元されたデータとデジタルミキシングする過程と、
前記デジタルミキシングされたデータをエンコーディングしてオーディオ信号を出力すると同時にメモリに記憶する過程と、
を含むことを特徴とするデジタルオーディオ再生方法。
【請求項１６】
請求項１５記載のデジタルオーディオ再生方法において、前記デジタルミキシング過程は、デコーディング機能とエンコーディング機能とを同時に遂行することができる一つの中央処理部によって遂行されることを特徴とするデジタルオーディオ再生方法。
【請求項１７】
請求項１５記載のデジタルオーディオ再生方法において、前記デジタルミキシング過程は、デュアルコアを有する中央処理部によって遂行されることを特徴とするデジタルオーディオ再生方法。
【請求項１８】
請求項１７記載のデジタルオーディオ再生方法において、前記中央処理部（ＣＰＵ）は、
前記デジタルミキシングされたデータをエンコーディングする第１のコアと、
前記メモリから読み出された圧縮されたデジタル信号をデコーディングする第２のコアと、
を具備することを特徴とするデジタルオーディオ再生方法。
【請求項１９】
請求項１５記載のデジタルオーディオ再生方法において、前記メモリは、ＭＰ３、ＷＭＡ、ＯＧＧ、又はＡＳＦから選択された少なくとも一つの圧縮されたオーディオ信号を記憶することを特徴とするデジタルオーディオ再生方法。
【請求項２０】
請求項１５記載のデジタルオーディオ再生方法において、前記デジタルミキシングされたデータを外部装置へ伝達する過程をさらに含むことを特徴とするデジタルオーディオ再生方法。
【発明の詳細な説明】
【技術分野】
【０００１】
本発明は、デジタルオーディオ再生装置及びこれを利用したデジタルオーディオ再生方法に関し、特に、二つの音源をデジタルミキシング（ｍｉｘｉｎｇ）してオーディオ信号を出力すると同時にエンコーディングして記憶することができるデジタルオーディオ再生装置及びこれを利用したデジタルオーディオ再生方法に関する。
【背景技術】
【０００２】
図３は、従来技術によるデジタルオーディオ再生装置の構成を概略的に示すブロック図である。図３を参照すると、上記デジタルオーディオ再生装置は、中央処理部（Ｃｅｎｔｒａｌ  Ｐｒｏｃｅｓｓｉｎｇ  Ｕｎｉｔ；ＣＰＵ）１２０と、コーデック部（ＣＯＤＥＣ）１１０と、メモリ１３０と、オーディオ出力部１４０とを含む。一方、図３に示す従来のデジタルオーディオ再生装置を利用した再生及び録音過程については、図４ないし図５に示す。
【０００３】
まず、再生過程を説明すると、ユーザーの操作によって、中央処理部１２０は、ステップＳ１１で、メモリ１３０から上記デジタル音源を読み出し、ステップＳ１２で、デコーディング（ｄｅｃｏｄｉｎｇ）を遂行する。メモリ１３０に記憶された音源は、多様な形態で圧縮されたデジタルオーディオ信号である。
【０００４】
中央処理部１２０によってデコーディングされたデジタル信号は、ステップＳ１３で、コーデック部１１０によってアナログ信号に変換されてスピーカーなどのようなオーディオ出力部１４０を介して出力される。
【０００５】
一方、録音過程において、コーデック部１１０は、ステップＳ２１で、マイクロホンなどのオーディオ入力装置を介して外部から入力されたオーディオ信号を伝達する。
【０００６】
中央処理部１２０は、ステップＳ２２で、コーデック部１１０によってデジタル信号に変換されたデータを所定の方式にてエンコーディング（ｅｎｃｏｄｉｎｇ）して、ステップＳ２３で、上記データをメモリ１３０に記憶する。
【０００７】
上述したように、コーデック部１１０は、アナログ信号をデジタル信号に変換するか、または、デジタル信号をアナログ信号に変換する機能を遂行する。すなわち、外部からマイクロホンを介して入力されたアナログオーディオ信号をデジタル信号に変換するか、または、中央処理部を介して入力されたデジタル信号をスピーカーなどの出力装置を介して出力することができるように、可聴音（ａｕｄｉｂｌｅ  ｓｏｕｎｄ）の形態を有するアナログ信号に変換する動作を遂行する。
【０００８】
このように、従来技術によるデジタルオーディオ再生装置は、デジタルオーディオ再生動作または録音動作を相互に異なる過程を介して独立的に遂行する。これは、中央処理部１２０が２つのイベントに対して同時に処理することができる機能を有していないためである。従って、一つのデジタルオーディオ再生装置を用いて、再生及び録音動作を同時に遂行することができるデジタルオーディオ再生装置又は方法が要求されてきた。
【発明の開示】
【発明が解決しようとする課題】
【０００９】
上記背景に鑑みて、本発明の目的は、二つの音源をデジタルミキシングしてオーディオ信号を出力すると同時に録音することができるデジタルオーディオ再生装置及びこれを利用したデジタルオーディオ再生方法を提供することにある。
【００１０】
本発明の他の目的は、デジタル音源のデコーディングとエンコーディングとを同時に遂行することができるデジタルオーディオ再生装置及びこれを利用したデジタルオーディオ再生方法を提供することにある。
【課題を解決するための手段】
【００１１】
このような目的を達成するために、本発明のデジタルオーディオ再生装置は、オーディオ信号入力装置を介して入力されたアナログオーディオ信号をデジタルオーディオ信号に変換するアナログ／デジタル変換部と、圧縮されたデジタルオーディオ信号が記憶されたメモリと、上記アナログ／デジタル変換部から出力されたデジタルオーディオ信号を上記メモリからデコーディングされたデジタル音楽信号とデジタルミキシングするミキサと、上記ミキサから出力されたデジタル信号をアナログ信号に変換してオーディオ出力部へ伝達するデジタル／アナログ信号変換部と、上記メモリから圧縮された音楽データを読み出してデコーディングした後に上記ミキサへ伝達し、上記ミキサによってミキシングされたデジタル信号をエンコーディングして上記メモリに記憶するための制御信号を生成する中央処理部とを具備することを特徴とする。
【００１２】
また、本発明のデジタルオーディオ再生装置は、上記メモリがＭＰ３、ＷＭＡ、ＯＧＧ、又はＡＳＦから選択された少なくとも一つの圧縮されたオーディオ信号を記憶することを特徴とする。
【００１３】
さらに、本発明のデジタルオーディオ再生装置は、上記中央処理部が個人用コンピュータ（ＰＣ）及びＵＳＢなどのインターフェース装置を使用して信号交換を遂行することを特徴とする。
【００１４】
またさらに、本発明のデジタルオーディオ再生装置は、携帯可能であることを特徴とする。
【００１５】
なお、本発明のデジタルオーディオ再生方法は、入力されるオーディオ信号のエンコーディングと貯蔵されている音源のデコーディングとを同時に遂行し、該遂行の結果に従うデジタルオーディオ信号をミキシングして出力するとともにメモリに記憶することを特徴とする。
【００１６】
また、本発明のデジタルオーディオ再生方法は、外部からアナログオーディオ信号を受信してデジタルオーディオ信号に変換するアナログ／デジタル変換過程と、メモリから圧縮された音源データを読み出して復元するデコーディング過程と、上記アナログ／デジタル変換過程を介した信号を上記デコーディング過程によって復元されたデータとデジタルミキシングする過程と、上記デジタルミキシングされたデータをエンコーディングしてオーディオ信号を出力すると同時にメモリに記憶する過程とを具備することを特徴とする。
【００１７】
さらに、本発明のデジタルオーディオ再生方法は、上記デジタルミキシングされたデータを外部装置へ伝達する過程をさらに備えることを特徴とする。
【発明の効果】
【００１８】
本発明のデジタルオーディオ再生装置及びデジタルオーディオ再生方法は、一つのデジタルオーディオ再生装置を介してエンコーディングとデコーディングとを同時に遂行することができる、という長所がある。
【００１９】
従って、本発明によれば、二つの音源をデジタルミキシングしてオーディオ信号を出力すると同時に録音することができるデジタルオーディオ再生装置及びこれを利用したデジタルオーディオ再生方法を提供することができる。また、デジタル音源のデコーディングとエンコーディングとを同時に遂行することができるデジタルオーディオ再生装置及びこれを利用したデジタルオーディオ再生方法を提供することができる。
【発明を実施するための最良の形態】
【００２０】
以下、添付の図面を参照しながら本発明の実施形態を詳細に説明する。なお、本発明に関連した公知の機能や構成に関する具体的な説明が、本発明の要旨を不明確にすると判断された場合には、その詳細な説明を省略する。
【００２１】
図１は、本発明の実施形態によるデジタルオーディオ再生装置の構成を示すブロック図である。
【００２２】
図１に示すように、上記デジタルオーディオ再生装置は、オーディオ信号入力装置を介して入力されたアナログオーディオ信号をデジタルオーディオ信号に変換するアナログ／デジタル変換部（Ａｎａｌｏｇ  ｔｏ  Ｄｉｇｉｔａｌ  Ｃｏｎｖｅｒｔｅｒ；ＡＤＣ）２１０と、圧縮されたデジタルオーディオ信号が記憶されたメモリ２８０と、アナログ／デジタル変換部２１０から出力されたデジタルオーディオ信号をメモリ２８０からのデコーディングされたデジタル音楽信号とデジタルミキシングするミキサ（Ｍｉｘｅｒ）２２０と、ミキサ２２０から出力されたデジタル信号をアナログ信号に変換してオーディオ出力部２４０へ伝達するデジタル／アナログ信号変換部（Ｄｉｇｉｔａｌ  ｔｏ  Ａｎａｌｏｇ  Ｃｏｎｖｅｒｔｅｒ；ＤＡＣ）２３０と、メモリ２８０から圧縮された音楽データを読み出してデコーディングした後にミキサ２２０へ提供し、ミキサ２２０によってミキシングされたデジタル信号をエンコーディングしてメモリ２８０に記憶するための制御信号を生成する中央処理部（Ｃｅｎｔｒａｌ  Ｐｒｏｃｅｓｓｉｎｇ  Ｕｎｉｔ；以下、ＣＰＵと称する）２５０とを含んでなる。
【００２３】
デジタルデータのミキシング機能を付加することによって、ミキシングされたデジタルデータのエンコーディング過程を介して最終的なデジタルミキシングされた圧縮音源（ＭＰ３、ＷＭＡ、ＯＧＧ、及びＡＳＦなどのようなデジタル圧縮された音源データ）をメモリ２８０に記憶する。
【００２４】
ＣＰＵ２５０は、ＵＳＢなどのようなインターフェース（Ｉｎｔｅｒｆａｃｅ；Ｉ／Ｆ）装置２６０を介して個人用コンピュータ（ＰＣ）のような外部装置とデータ交換を遂行することができる。
【００２５】
また、デジタルオーディオ再生装置は、上記デジタルオーディオ再生装置を介して遂行される動作をユーザーが認識できるように表示するディスプレー装置、例えば液晶ディスプレー装置（Ｌｉｑｕｉｄ  Ｃｒｙｓｔａｌ  Ｄｉｓｐｌａｙ；ＬＣＤ）２７０を含む。
【００２６】
デジタルオーディオミキシング（Ｄｉｇｉｔａｌ  Ａｕｄｉｏ  Ｍｉｘｉｎｇ）を実現するためには、ＣＰＵ２５０でエンコーディング（Ｅｎｃｏｄｉｎｇ）とデコーディング（Ｄｅｃｏｄｉｎｇ）とを同時に遂行しなければならない。
【００２７】
上述したように、本発明の特徴は、一つのＣＰＵでデコーディング（ｄｅｃｏｄｉｎｇ）機能とエンコーディング（ｅｎｃｏｄｉｎｇ）機能とを同時に遂行する点にある。以下に説明する本発明の実施形態では、デュアルコア（Ｄｕａｌ  ｃｏｒｅ）を適用したＣＰＵを例に挙げて説明しているが、コスト上昇の原因となることがあるので、必要に応じて適用することができる。
【００２８】
本発明の実施形態によるＣＰＵ２５０は、メモリ２８０から読み出された圧縮されたデジタル信号をデコーディングする第１のコア２５１と、デジタルミキシングされたデータをエンコーディングする第２のコア２５２とを備える。
【００２９】
デュアルコアプロセッサとは、ＣＰＵの頭脳である、いわゆる“二つのコア（ｄｕａｌ  ｃｏｒｅ）”が一つのＣＰＵ内に組み込まれていることを意味する。一つのＣＰＵをもって２つのＣＰＵを使用するものと同一の効果を奏ずることができる製品である。
【００３０】
ＣＰＵの演算装置が２つで構成されると、理論上、データの処理速度も２倍に速くなる。ＣＰＵのコアは、ＣＰＵの核心部を意味し、ペンティアム（登録商標）系列ＣＰＵでは、プロセッサ内に共に内蔵されたコプロセッサ（ｃｏ−ｐｒｏｃｅｓｓｏｒ）とＬ２キャッシュとを除外した元来のＣＰＵ部分を意味する。すなわち、上記ＣＰＵのコアは、演算装置、レジスタ、及び制御装置の各機能を遂行する。
【００３１】
また、同種のＣＰＵでは、ＣＰＵクロック及びキャッシュメモリのサイズが大きくなるほどＰＣシステムの性能も向上する。
【００３２】
本発明の実施形態によるデジタルオーディオ再生方法の細部の特徴は、上記デジタルミキシング過程が、デジタルミキシングされたデータのエンコーディングを遂行する第２のコアと、上記メモリから読み出された圧縮されたデジタル信号のデコーディングを遂行する第１のコアと、からなるデュアルコアを有するＣＰＵによって遂行される点にある。
【００３３】
図２は、本発明の実施形態によるデジタルオーディオ再生方法の遂行過程を示すフローチャートである。
【００３４】
上記デジタルオーディオ再生方法は、外部からアナログオーディオ信号を受信してデジタルオーディオ信号に変換するアナログ／デジタル変換過程（ステップＳ５１〜Ｓ５２）と、メモリから圧縮された音源データを読み出して復元するデコーディング過程（ステップＳ５３〜Ｓ５４）と、上記アナログ／デジタル変換過程を介した信号を上記デコーディング過程によって復元されたデータとデジタルミキシングする過程（ステップＳ５５）と、上記デジタルミキシングされたデータをエンコーディングしてオーディオ信号を出力すると同時にメモリに記憶する過程（ステップＳ５６〜Ｓ５７）と、を含んでなる。
【００３５】
まず、ユーザーがタッチパネル（ｔｏｕｃｈ  ｐａｎｅｌ）、タッチホイール（ｔｏｕｃｈ  ｗｈｅｅｌ）、またはその他多様な入力装置を用いて再生するデジタル音源をメモリ装置で選択する。上記選択されたデジタル音源は、第１のコア２５１によってデコーディングされる。上記メモリに貯蔵されたデジタル信号は、圧縮された音源である。従って、デコーディング過程を介してデコーディングする必要がある。一方、マイクロホン（ｍｉｃ）等のオーディオ信号入力装置を介して入力されたアナログ信号は、アナログ／デジタル変換器２１０によって変換されてミキサ２２０へ伝達される。入力されるオーディオ信号源は、多様な形態が存在する。すなわち、上記オーディオ信号は、マイクロホンを使用して直接的なオーディオ入力装置を介して入力されてもよく、あるいは、ラジオ又は外部オーディオ信号などの所定の選択装置を介して入力されてもよい。
【００３６】
外部オーディオデータを受信してコーデックを介したＡＤＣ過程を経て、同時にメモリに記憶されている圧縮された音源データを読み出して、圧縮デコーディングを遂行する。
【００３７】
ＡＤＣ過程を経たデータとメモリから読み出された圧縮されたデータとをデコーディングしたデータをもって、上記２つの音源データのデジタルミキシング過程を遂行する。上記ミキシングされたデータは、コーデック（ＤＡＣ機能）を介してオーディオ出力をさらに行うと同時に、ＣＰＵ内の第２のコア２５２へ伝達された後に、エンコーディング過程を介してメモリに記憶される。
【００３８】
本発明は、デジタルカラオケ音楽プレーヤー（Ｄｉｇｉｔａｌ  Ｋａｒａｏｋｅ  Ｍｕｓｉｃ  Ｐｌａｙｅｒ）（背景伴奏曲と共に歌を歌って圧縮データでメモリに記憶する）、音楽手紙（Ｍｕｓｉｃ  Ｌｅｔｔｅｒ）、及び語学学習などの多様な機能を適用させることができる。また、本発明は、既存の１つの音源のみをエンコーディングしてメモリに記憶する携帯音楽プレーヤー（Ｐｏｒｔａｂｌｅ  Ｍｕｓｉｃ  Ｐｌａｙｅｒ）（携帯ＭＰ３プレーヤー（Ｐｏｒｔａｂｌｅ  ＭＰ３  Ｐｌａｙｅｒ）及びデジタル音楽プレーヤー（Ｄｉｇｉｔａｌ  Ｍｕｓｉｃ  Ｐｌａｙｅｒ）など）の短所を改善して、１つの音源に対する単調なエンコーディング（ＭＰ３、ＷＭＡ、ＯＧＧ、及びＡＳＦなどのデジタル圧縮音源データ）方式から抜け出し、二つの音源のデジタルミキシングを遂行すると同時に、エンコーディング、実時間メモリの記憶を実現することによって、デジタルレコードカラオケ（Ｄｉｇｉｔａｌ  Ｒｅｃｏｒｄ  Ｋａｒａｏｋｅ）、音楽手紙、及びデジタルオーディオミキサ（Ｄｉｇｉｔａｌ  Ａｕｄｉｏ  Ｍｉｘｅｒ）などの多様な付加機能を容易に実現することができるものと期待される。
【００３９】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【００４０】
【図１】本発明の実施形態によるデジタルオーディオ再生装置の構成を示すブロック図
【図２】本発明の実施形態によるデジタルオーディオ再生方法の遂行過程を示すフローチャート
【図３】従来技術によるデジタルオーディオ再生装置の構成を概略的に示すブロック図
【図４】従来技術によるオーディオ出力過程を示すフローチャート
【図５】従来技術によるオーディオ録音過程を示すフローチャート
【符号の説明】
【００４１】
２１０  アナログ／デジタル変換部（ＡＤＣ）
２２０  ミキサ
２３０  デジタル／アナログ信号変換部（ＤＡＣ）
２４０  オーディオ出力部
２５０  中央処理部（ＣＰＵ）
２５１  第１のコア
２５２  第２のコア
２６０  インターフェース装置（Ｉ／Ｆ）
２７０  液晶ディスプレー装置（ＬＣＤ）
２８０  メモリ
【図１】
2006331624.tif 000003
【図２】
2006331624.tif 000004
【図３】
2006331624.tif 000005
【図４】
2006331624.tif 000006
【図５】
2006331624.tif 000007